(57)【要約】【課題】開閉バルブの開閉操作と浄水カートリッジの脱着交換操作とを、同一の位置で容易に行うことができるとともに、浄水カートリッジの脱着交換時に、原水が流れ出すおそれを防止することができる浄水カートリッジ装着装置を提供する。【解決手段】浄水カートリッジ２６の入口プラグ及び出口プラグに接離可能に対応する入口側接続孔及び出口側接続孔を備え、浄水カートリッジ２６を両プラグと両接続孔との接続位置に解除可能に保持するように構成する。入口側接続孔またはその近傍には、浄水カートリッジ２６の脱着交換時に原水の導入を遮断するための開閉バルブ５１を設ける。【選択図】　　　図１
2004024955.tif 000002
【特許請求の範囲】
【請求項１】
浄水カートリッジの入口プラグ及び出口プラグに接離可能に対応する入口側接続部及び出口側接続部を備え、浄水カートリッジを両プラグと両接続部との接続位置に解除可能に保持するようにした浄水カートリッジ装着装置において、
前記入口側接続部またはその近傍には、浄水カートリッジの脱着交換時に原水を遮断するための開閉バルブを設けたことを特徴とする浄水カートリッジ装着装置。
【請求項２】
前記浄水カートリッジを接続位置に保持するための保持機構と開閉バルブとの間には、開閉バルブが開放状態にあるときに、保持機構の解除操作を規制するための規制手段を設けたことを特徴とする請求項１に記載の浄水カートリッジ装着装置。
【請求項３】
前記規制手段は、保持機構の操作レバーを浄水カートリッジの保持位置にロックするための係止爪と開閉バルブのハンドルとに、互いに係合可能に設けられた係合部からなることを特徴とする請求項２に記載の浄水カートリッジ装着装置。
【発明の詳細な説明】
【０００１】
【発明の属する技術分野】
この発明は、水を浄化するための浄水カートリッジを脱着交換可能に装着するようにした浄水カートリッジ装着装置に関するものである。
【０００２】
【従来の技術】
従来、例えばディスペンサー装着タイプの浄水カートリッジでは、浄水カートリッジ装着装置がディスペンサーの内部に設置され、その装着装置の入口側接続部に水道管等の導入パイプが接続されている。また、ディスペンサーの裏面側等において、導入パイプの途中には開閉バルブが接続され、浄水カートリッジを脱着交換する際に、この開閉バルブを閉鎖することにより、浄水カートリッジ側への原水の通過を遮断するようになっている。
【０００３】
【発明が解決しようとする課題】
ところが、この従来の浄水カートリッジ装着装置においては、開閉バルブが装置から離間して、ディスペンサーの裏面側等に配置されている。このため、開閉バルブの開閉操作と浄水カートリッジの脱着交換操作とを別の位置で行う必要があって、その操作が非常に面倒であるという問題があった。
【０００４】
また、開閉バルブの開閉操作と浄水カートリッジの脱着交換操作とを別の位置で行うため、誤って開閉バルブが開放されたままの状態で、浄水カートリッジの脱着交換を行って、ディスペンサーの内部に原水が流れ出し、その内部が水浸しになるという問題があった。このような場合には、水の除去作業が必要になり、きわめて煩雑である。
【０００５】
さらに、開閉バルブを閉鎖した後に、浄水カートリッジの脱着交換を行った場合でも、開閉バルブが浄水カートリッジから離間して配置されているため、それらの間の導入パイプ内に残留している原水がディスペンサーの内部に流れ出すおそれがあるという問題があった。
【０００６】
この発明は、このような従来の技術に存在する問題点に着目してなされたものである。その目的は、開閉バルブの開閉操作と浄水カートリッジの脱着交換操作とを、同一の位置で容易に行うことができるとともに、浄水カートリッジの脱着交換時に、原水が流れ出すおそれを防止することができる浄水カートリッジ装着装置を提供することにある。
【０００７】
【課題を解決するための手段】
上記の目的を達成するために、請求項１に記載の発明は、浄水カートリッジの入口プラグ及び出口プラグに接離可能に対応する入口側接続部及び出口側接続部を備え、浄水カートリッジを両プラグと両接続部との接続位置に解除可能に保持するようにした浄水カートリッジ装着装置において、前記入口側接続部またはその近傍には、浄水カートリッジの脱着交換時に原水の導入を遮断するための開閉バルブを設けたことを特徴とするものである。
【０００８】
従って、この請求項１に記載の発明によれば、浄水カートリッジを脱着交換する際に、開閉バルブの開閉操作と浄水カートリッジの脱着交換操作とを、同一の位置で容易に行うことができる。また、開閉バルブが浄水カートリッジに近接して配置されているため、開閉バルブの閉鎖状態で浄水カートリッジを脱着交換する際に、残留している原水が入口側接続部から流れ出すおそれを防止することができる。
【０００９】
請求項２に記載の発明は、請求項１に記載の発明において、前記浄水カートリッジを接続位置に保持するための保持機構と開閉バルブとの間には、開閉バルブが開放状態にあるときに、保持機構の解除操作を規制するための規制手段を設けたことを特徴とするものである。
【００１０】
従って、この請求項２に記載の発明によれば、浄水カートリッジの脱着交換時に、誤って開閉バルブが開放されたままの状態で、浄水カートリッジが接続位置の保持状態から解除操作されるおそれはない。よって、開閉バルブの開放状態で浄水カートリッジの脱着交換が行われて、ディスペンサーの内部に原水が流れ出すおそれを確実に防止することができる。
【００１１】
請求項３に記載の発明は、請求項２に記載の発明において、前記規制手段は、保持機構の操作レバーを浄水カートリッジの保持位置にロックするための係止爪と開閉バルブのハンドルとに、互いに係合可能に設けられた係合部からなることを特徴とするものである。
【００１２】
従って、この請求項３に記載の発明によれば、規制手段の構成が簡単であるにも拘らず、開閉バルブの開放状態で保持機構が解除操作されるのを確実に規制することができる。
【００１３】
【発明の実施の形態】
以下に、この発明の一実施形態を、図面に基づいて説明する。
図１〜図４に示すように、浄水カートリッジ装着装置の装置本体１１は金属により一体に形成されている。装置本体１１の上面には入口側接続パイプ１２及び出口側接続パイプ１３が突設され、それらの外周にはネジ部１２ａ，１３ａが形成されている。装置本体１１の前面には入口側接続部としての入口側接続孔１４及び出口側接続部としての出口側接続孔１５が横方向へ延びるように形成され、前記入口側接続パイプ１２及び出口側接続パイプ１３にそれぞれ連通されている。両接続孔１４，１５内には前面に複数の突片１６ａ，１７ａを突設した止水弁１６，１７が移動可能に配設され、バネ１８により各接続パイプ１２，１３と各接続孔１４，１５との間の流路を閉鎖する位置に移動付勢されている。
【００１４】
前記装置本体１１上には鉄板よりなる正面形ほぼ逆チャンネル状の取付板１９が配設され、その水平板部には一対のパイプ挿通孔１９ａが形成されるとともに、両側板部の前方には一対の取付部１９ｂ，１９ｃが突設されている。取付板１９の上面には鉄板よりなる側面形ほぼＬ字状の支持板２０が配設され、その水平板部には一対のパイプ挿通孔２０ａが形成されるとともに、垂直板部には一対のネジ挿通孔２０ｂが形成されている。
【００１５】
そして、取付板１９及び支持板２０のパイプ挿通孔１９ａ，２０ａに装置本体１１上の両接続パイプ１２，１３が挿通された状態で、それらの外周のネジ部１２ａ，１３ａにナット２１が螺合されることにより、取付板１９及び支持板２０が装置本体１１上に固定されている。また、この状態で支持板２０のネジ挿通孔２０ｂを介して、ディスペンサー内の設置壁２２にネジ２３を螺合することにより、装置本体１１がディスペンサー内に設置される。
【００１６】
なお、前記装置本体１１に対する取付板１９及び支持板２０の組み付け固定に際しては、図１及び図２に実線及び鎖線で示すように、支持板２０の垂直板部が上向きになった状態と、下向きになった状態とに選択的に組み付けることができる。これにより、装置本体１１の設置箇所に応じて、設置壁２２に対する支持板２０のネジ止め位置を変更することができて、設置状態の装置本体１１の下方に後述する浄水カートリッジ２６を装着するための所定の空間を確保することができる。
【００１７】
図１、図３及び図４に示すように、前記入口側接続パイプ１２のネジ部１２ａには開閉バルブ５１が螺着され、その側面には開閉操作用のハンドル５２が回動可能に突設されている。開閉バルブ５１の上部には接続パイプ５３が突設され、その外周にはネジ部５３ａが形成されている。接続パイプ５３のネジ部５３ａには原水を導入するための水道管等の導入パイプ２４が接続され、出口側接続パイプ１３のネジ部１３ａには浄化水を導出するための導出パイプ２５が接続されている。そして、後述する浄水カートリッジ２６の脱着交換時に、ハンドル５２を図１に実線で示す開放位置Ｐ１から鎖線で示す閉鎖位置Ｐ２に回動させて、開閉バルブ５１を閉鎖することにより、入口側接続パイプ１２への原水の導入を遮断するようになっている。
【００１８】
図１〜図３及び図５に示すように、前記装置本体１１には浄水カートリッジ２６が脱着交換可能に装着されるようになっている。この浄水カートリッジ２６は、アルミニウムにより有底円筒状に形成された外ケース２７と、その外ケース２７内に着脱可能に収容されるとともにナット２８により収容状態に締め付け保持されたカートリッジ本体２９とより構成されている。カートリッジ本体２９は、有底円筒状をなす合成樹脂製の容器３０と、その容器３０の上端開口部に嵌着された合成樹脂製の蓋体３１とから構成され、容器３０の内部には図示しない活性炭フィルタ等の濾材が収容されている。
【００１９】
前記蓋体３１の上面には入口パイプ３２及び出口パイプ３３が縦方向に向かって突設されている。入口パイプ３２及び出口パイプ３３の上端には入口プラグ３４及び出口プラグ３５が横方向に向かって突出形成され、それらの先端外周にはシールリング３６が嵌着されている。入口パイプ３２及び出口パイプ３３の外面には複数のリブ３７が縦方向及び横方向に延びるように突出形成され、その一部には円弧状のカム部３７ａが形成されている。
【００２０】
そして、図２に示すように、この浄水カートリッジ２６の入口プラグ３４及び出口プラグ３５が装置本体１１の入口側接続孔１４及び出口側接続孔１５に挿入接続されることにより、浄水カートリッジ２６が装置本体１１に対して垂下状態で装着される。この場合、各プラグ３４，３５の挿入により、各接続孔１４，１５内の止水弁１６，１７がバネ１８の付勢力に抗して、接続孔１４，１５の内側に向かって押圧移動され、各接続パイプ１２，１３と各接続孔１４，１５との間の流路が開放されるようになっている。
【００２１】
図１〜図４に示すように、前記装置本体１１上の取付板１９の取付部１９ｂ間には、保持機構を構成する合成樹脂製の操作レバー３８が支軸３９を介して回動可能に取り付けられ、その先端には透孔３８ａ及び操作部を兼用する膨らみ部３８ｂが形成されている。操作レバー３８の基端内面には一対の突条４０が形成され、それらの端部には円弧状のカム部４１が形成されている。
【００２２】
そして、装置本体１１の各接続孔１４，１５に浄水カートリッジ２６の各プラグ３４，３５が挿入接続された状態で、操作レバー３８が図６及び図７に示す下方の解放位置から図１及び図２に示す上方の保持位置に回動操作されたとき、両カム部４１が両パイプ３２，３３上のカム部３７ａにそれぞれ係合される。この係合により、両プラグ３４，３５が両接続孔１４，１５に対する挿入接続位置に向かって押圧され、浄水カートリッジ２６が装置本体１１に対する装着状態に保持されるようになっている。
【００２３】
前記装置本体１１上には、操作レバー３８を上方の保持位置にロックするためのロック機構４２が操作レバー３８と近接して設けられている。すなわち、取付板１９の取付部１９ｃ間には鉄板よりなる係止爪４３が支軸４４を介して回動可能に支持され、その両側には一対の爪部４３ａが形成されるとともに、先端には解除操作部４３ｂが突設されている。また、両爪部４３ａの先端には、斜状のカム面４３ｃがそれぞれ形成されている。
【００２４】
前記取付板１９の取付部１９ｃ間にはロッド４５が架設され、このロッド４５と係止爪４３との間にはバネ４６が掛装されている。そして、このバネ４６の付勢力により、係止爪４３が図６及び図７の時計方向に回動付勢されて、ロッド４５と係合する位置に規制保持されるようになっている。すなわち、ロッド４５は係止爪４３のストッパを兼用し、係止爪４３を透孔３８ａの開口縁に係合可能な位置に保持するようになっている。
【００２５】
また、前記の状態で操作レバー３８が下方の開放位置から上方の保持位置に回動されたとき、図１及び図２に示すように、操作レバー３８の突条４０がロッド４５に係合して、操作レバー３８の回動が規制される。それとともに、係止爪４３の爪部４３ａが操作レバー３８の透孔３８ａの開口縁に係合されて、操作レバー３８が保持位置にロックされる。さらに、この状態においては、係止爪４３の解除操作部４３ｂが操作レバー３８の透孔３８ａ内に挿通され、その上方が操作レバー３８の膨らみ部３８ｂにより覆われるようになっている。
【００２６】
図２〜図５に示すように、前記装置本体１１上には、浄水カートリッジ２６を装着する際の操作レバー３８の操作に先立って、浄水カートリッジ２６を仮止めするための仮止め機構４７が設けられている。すなわち、装置本体１１の下部中央には挿入溝４８が形成され、その上部両側には仮止め機構４７を構成する一対の支持部４９が設けられている。この挿入溝４８及び支持部４９と係脱可能に対応するように、浄水カートリッジ２６の蓋体３１の上面には断面形ほぼＴ字状の係合部５０が突出形成されている。そして、図６に示すように、浄水カートリッジ２６の両プラグ３４，３５が装置本体１１の両接続孔１４，１５に挿入接続される際に、この係合部５０が前記挿入溝４８及び支持部４９に係合されるようになっている。
【００２７】
前記操作レバー３８に設けられた一対のカム部４１は、仮止め機構４７の押え部を兼用し、浄水カートリッジ２６を挟んで支持部４９と反対側に位置している。そして、図６に示すように、装置本体１１の両接続孔１４，１５に対する浄水カートリッジ２６の両プラグ３４，３５の挿入接続時に、この押え部を兼用するカム部４１が両パイプ３２，３３上のカム部３７ａに係合される。この係合により、前記支持部４９と係合部５０との係合と協働して、浄水カートリッジ２６が装置本体１１に対し、両プラグ３４，３５を両接続孔１４，１５に接続可能に対応させた状態で仮止め保持されるようになっている。
【００２８】
なお、前記仮止め機構４７の係合部５０，前記挿入溝４８及び支持部４９は、装置本体１１に対する浄水カートリッジ２６の着脱を案内する機能をも有している。
【００２９】
図１、図３及び図５に示すように、前記ロック機構４２の係止爪４３と開閉バルブ５１のハンドル５２との間には、規制手段としての規制機構５４が設けられている。この規制機構５４は、係止爪４３の一側にハンドル５２側へ向かって突出形成された係合部４３ｄと、その係合部４３ｄと係合可能に対応するように、ハンドル５２に突出形成された係合部５２ａとから構成されている。
【００３０】
そして、図１に実線で示すように、ハンドル５２が開放位置Ｐ１に回動配置されて、開閉バルブ５１が開放状態にあるときには、ハンドル５２の係合部５２ａが係止爪４３の係合部４３ｄに対して係合可能に対応配置されている。これにより、係止爪４３の反時計方向への解除操作が規制されて、すなわち解除操作が阻止されて、操作レバー３８が浄水カートリッジ２６を接続状態に保持するための上方の保持位置に規制配置されるようになっている。
【００３１】
これに対して、図１に鎖線で示すように、浄水カートリッジ２６の脱着交換に際して、ハンドル５２が閉鎖位置Ｐ２に回動操作されて、開閉バルブ５１が閉鎖されたときには、ハンドル５２の係合部５２ａが係止爪４３の係合部４３ｄから離間される。これにより、係止爪４３の反時計方向への解除操作が許容されて、操作レバー３８を図１及び図２に示す上方の保持位置から、図６及び図７に示す下方の開放位置へ回動操作させ得るようになっている。
【００３２】
次に、前記のように構成された浄水カートリッジ装着装置について作用を説明する。
さて、図１及び図２に示す状態では、浄水カートリッジ２６の両プラグ３４，３５が装置本体１１の両接続孔１４，１５に接続され、操作レバー３８が上方の保持位置に回動されて、カム部４１とカム部３７ａとの係合により、浄水カートリッジ２６が接続位置に保持されている。この状態では、ロック機構４２の係止爪４３が操作レバー３８に係合されて、操作レバー３８が保持位置にロックされている。また、両接続孔１４，１５内の止水弁１６，１７は流路の開放位置に移動されている。さらに、開閉バルブ５１のハンドル５２が開放位置Ｐ１に回動配置され、開閉バルブ５１が開放されている。
【００３３】
この状態で、導出パイプ２５に接続された図示しない蛇口等が開放されると、導入パイプ２４から開閉バルブ５１及び入口側接続パイプ１２を介して入口側接続孔１４内に原水が供給される。その原水は入口プラグ３４及び入口パイプ３２を介して浄水カートリッジ２６内に導入され、その浄水カートリッジ２６内に収容された図示しない濾材により、原水に含まれる不純物が濾過されて浄化される。そして、浄化された水は、出口パイプ３３及び出口プラグ３５を介して装置本体１１の出口側接続孔１５内に導かれた後、出口側接続パイプ１３を介して導出パイプ２５に導出され、前記蛇口等から放出される。
【００３４】
このように、原水の浄化が繰り返し長期間のわたって行われて、浄水カートリッジ２６内の濾材の濾過効果が低下した場合には、その濾材をカートリッジ本体２９とともに交換する必要がある。
【００３５】
この場合には、開閉バルブ５１のハンドル５２を図１に実線で示す開放位置Ｐ１から鎖線で示す閉鎖位置Ｐ２に回動操作すると、開閉バルブ５１が閉鎖されて、導入パイプ２４から入口側接続パイプ１２への原水の導入が遮断される。これにより、図１に鎖線で示すように、ハンドル５２の係合部５２ａが係止爪４３の係合部４３ｄから離間されて、係止爪４３の反時計方向への解除操作が許容された状態になる。このため、誤って開閉バルブ５１が開放されたままの状態で、浄水カートリッジ２６の脱着交換が開始されるおそれはない。
【００３６】
続いて、ロック機構４２の係止爪４３を解除操作部４３ｂにより、バネ４６の付勢力に抗して反時計方向に回動操作すると、爪部４３ａが操作レバー３８の透孔３８ａとの係合状態から解除される。その後、操作レバー３８を上方の保持位置から下方の解放位置に回動させると、図６に示すように、カム部４１によるカム部３７ａの押圧が解放される。この押圧解放に伴って、両接続孔１４，１５内の止水弁１６，１７がバネ１８の付勢力により流路の閉鎖位置に復帰移動されるとともに、両プラグ３４，３５が両接続孔１４，１５から押し出される。
【００３７】
この状態においては、図６に示すように、仮止め機構４７の支持部４９に係合部５０が係合支持されるとともに、押え部としてのカム部４１がカム部３７ａに接触係合して、浄水カートリッジ２６が装置本体１１に対して仮止め状態に保持されている。
【００３８】
従って、片手にて前記係止爪４３を解除操作するとともに、操作レバー３８を下方の解放位置に回動操作した後、その同じ手で浄水カートリッジ２６を把持して、図７に示すように、浄水カートリッジ２６の両プラグ３４，３５を装置本体１１の両接続孔１４，１５から抜き取ることができる。
【００３９】
このように、浄水カートリッジ２６を装置本体１１から取り外した後、ナット２８を緩めて外ケース２７内から使用済みのカートリッジ本体２９を取り出し、その使用済みのカートリッジ本体２９を新しいカートリッジ本体２９と脱着交換する。よって、浄水カートリッジ２６の交換時に、アルミニウム製の外ケース２７をそのまま使用することができて、交換コストの低減を図ることができる。
【００４０】
そして、新しいカートリッジ本体２９を収容した浄水カートリッジ２６を装置本体１１に装着する場合には、前記取り外し時とほぼ逆順に操作する。すなわち、図７に示すように、浄水カートリッジ２６を片手で把持して、装置本体１１の前面に下方から接近させ、両パイプ３２，３３を解放位置の操作レバー３８と両接続孔１４，１５との間に挿入する。すると、図６に示すように、浄水カートリッジ２６上の係合部５０が仮止め機構４７の支持部４９に係合支持されるとともに、両パイプ３２，３３上のカム部３７ａが操作レバー３８のカム部４１に接触係合して、浄水カートリッジ２６が仮止め状態に保持される。
【００４１】
その後、同一の手で操作レバー３８を下方の解放位置から上方の保持位置に回動操作する。このようにすると、図１及び図２に示すように、カム部４１とカム部３７ａとの係合により、浄水カートリッジ２６が図６の状態から左方に移動される。このため、浄水カートリッジ２６の両プラグ３４，３５が装置本体１１の両接続孔１４，１５に挿入接続されて、その接続状態に保持される。この接続により、両接続孔１４，１５内の止水弁１６，１７が流路の開放位置に移動される。また、ロック機構４２の係止爪４３のカム面４３ｃと操作レバー３８の透孔３８ａの開口縁と係合により係止爪４３がバネ４６のバネ力に抗して上方に逃げる。次いで、係止爪４３の爪部４３ａがバネ４６のバネ力により操作レバー３８の透孔３８ａの開口縁に係合して、その操作レバー３８が保持位置にロックされる。
【００４２】
この状態では、図１及び図２に示すように、係止爪４３の解除操作部４３ｂが操作レバー３８の膨らみ部３８ｂにより覆われている。このため、係止爪４３の解除操作部４３ｂが誤って解除方向に操作されるおそれはなく、操作レバー３８がロック状態から不用意に解除されて、浄水カートリッジ２６が接続保持状態から解放されるのを防止することができる。
【００４３】
続いて、開閉バルブ５１のハンドル５２を図１に鎖線で示す閉鎖位置Ｐ２から実線で示す開放位置Ｐ１に回動操作すると、開閉バルブ５１が開放されて、導入パイプ２４から入口側接続パイプ１２への原水の導入が可能になる。また、この状態でハンドル５２の係合部５２ａが係止爪４３の係合部４３ｄと係合可能に対応配置され、係止爪４３の反時計方向への解除操作が規制される。
【００４４】
従って、この実施形態によれば、以下のような効果を得ることができる。
（１）　この浄水カートリッジ装着装置においては、浄水カートリッジ２６の入口プラグ３４及び出口プラグ３５に接離可能に対応するように、装置本体１１に入口側接続孔１４及び出口側接続孔１５が設けられている。装置本体１１には保持機構を構成する操作レバー３８が回動可能に配設され、その操作レバー３８の操作によりカム部４１を介して、浄水カートリッジ２６が両プラグ３４，３５と両接続孔１４，１５との接続位置に解除可能に保持されるようになっている。入口側接続孔１４に連通する入口側接続パイプ１２上には開閉バルブ５１が設けられ、浄水カートリッジ２６の脱着交換時に、この開閉バルブ５１によって原水の導入を遮断するようになっている。
【００４５】
このため、浄水カートリッジ２６を脱着交換する際に、開閉バルブ５１の開閉操作と浄水カートリッジ２６の脱着交換操作とを、同一の位置で容易に行うことができる。また、開閉バルブ５１が浄水カートリッジ２６に近接して配置されているため、開閉バルブ５１の閉鎖状態で、開閉バルブ５１と浄水カートリッジ２６との間の給水管路内に残留する原水はほとんどない。よって、浄水カートリッジ２６を脱着交換する際に、残留している原水が入口側接続孔１４から流れ出すおそれを防止することができる。
【００４６】
（２）　この浄水カートリッジ装着装置においては、前記操作レバー３８を含む保持機構と開閉バルブ５１との間に規制機構５４が設けられ、開閉バルブ５１が開放状態にあるときに、この規制機構５４によって操作レバー３８の解除操作が規制されるようになっている。このため、浄水カートリッジ２６の脱着交換時に、誤って開閉バルブ５１が開放されたままの状態で、浄水カートリッジ２６が接続位置の保持状態から解除操作されることはない。よって、開閉バルブ５１の開放状態で浄水カートリッジ２６の脱着交換が行われて、ディスペンサーの内部に原水が流れ出すおそれを確実に防止することができる。
【００４７】
（３）　この浄水カートリッジ装着装置においては、前記規制機構５４が、操作レバー３８を浄水カートリッジ２６の保持位置にロックするための係止爪４３に設けられた係合部４３ｄと、その係合部４３ｄと係合可能に対応するように、開閉バルブ５１のハンドル５２に設けられた係合部５２ａとから構成されている。このため、規制機構５４の構成が簡単であるにも拘らず、開閉バルブ５１の開放状態で操作レバー３８が解除操作されるのを確実に規制することができる。
【００４８】
（変更例）
なお、この実施形態は、次のように変更して具体化することも可能である。
・　前記実施形態では、規制機構５４が開閉バルブ５１のハンドル５２上の係合部５２ａと係止爪４３上の係合部４３ｄとから構成されているが、例えば開閉バルブ５１のハンドル５２上の係合部５２ａと操作レバー３８上の係合部とから構成すること。このように構成しても、前記実施形態と同様な作用効果を得ることができる。
【００４９】
・　前記実施形態では、操作レバー３８が上下方向に回動操作されるようになっている。これに対し、操作レバー３８が左右方向に回動操作されて解除位置と保持位置とに切り換え配置されるように構成すること。このように構成しても、前記実施形態と同様な作用効果を得ることができる。
【００５０】
・　前記実施形態では、仮止め機構４７が設けられているが、この仮止め機構４７を省略すること。このように構成すれば、部品点数が少なくなり、構成が簡単になる。
【００５１】
・　前記実施形態では、浄水カートリッジ２６の外ケース２７がカートリッジ本体２９に対して着脱可能に構成されている。これに対し、外ケース２７をカートリッジ本体２９の外周に嵌着固定して、カートリッジ本体２９を外ケース２７とともに脱着交換するようにしてもよい。
【００５２】
（他の技術的思想）
・　請求項１〜３のいずれかに記載の浄水カートリッジ装着装置を備えた飲料水分与装置。ここで、飲料水分与装置とは、ジュース等を分与するための前記実施形態のようなディスペンサをいう。
【００５３】
・　請求項１〜３のいずれかにおいて、上端に入口プラグ及び出口プラグを設けた浄水カートリッジを装着するようにした浄水カートリッジ装着装置。
【００５４】
【発明の効果】
以上、実施形態で例示したように、この発明においては、開閉バルブの開閉操作と浄水カートリッジの脱着交換操作とを、同一の位置で容易に行うことができるとともに、浄水カートリッジの脱着交換時に、原水が流れ出すおそれを防止することができるという優れた効果を発揮する。
【図面の簡単な説明】
【図１】一実施形態の浄水カートリッジ装着装置を示す側面図。
【図２】図１の浄水カートリッジ装着装置の断面図。
【図３】図２の３−３線における部分断面図。
【図４】浄水カートリッジの取り外し状態を示す装着装置の斜視図。
【図５】浄水カートリッジを示す斜視図。
【図６】装着装置に対する浄水カートリッジの仮止め状態を示す部分断面図。
【図７】装着装置から浄水カートリッジを取り外した状態を示す部分断面図。
【符号の説明】
１１…装置本体、１４…入口側接続部としての入口側接続孔、１５…出口側接続部としての出口側接続孔、１９…取付板、２６…浄水カートリッジ、２９…カートリッジ本体、３４…入口プラグ、３５…出口プラグ、３８…保持機構を構成する操作レバー、４１…カム部、４２…ロック機構、４３…係止爪、４３ａ…爪部、４３ｄ…係合部、５１…開閉バルブ、５２…ハンドル、５２ａ…係合部、５４…規制機構、Ｐ１…開放位置、Ｐ２…閉鎖位置。
【図１】
2004024955.tif 000003
【図２】
2004024955.tif 000004
【図３】
2004024955.tif 000005
【図４】
2004024955.tif 000006
【図５】
2004024955.tif 000007
【図６】
2004024955.tif 000008
【図７】
2004024955.tif 000009